【事件の表示】
　特願２０１８−５０８８７４号「照明器具」拒絶査定不服審判事件〔平成２９年１０月　５日国際公開，ＷＯ２０１７／１６９５４９，請求項の数（６）〕について，次のとおり審決する。
【結　論】
　原査定を取り消す。
　本願の発明は，特許すべきものとする。
【理　由】
第１．手続の経緯
　本願は，２０１７年（平成２９年）３月７日（国内優先権主張　２０１６年３月２９日，２０１６年１０月１４日）を国際出願日とする出願であって，平成３０年６月１４日に条約１９条補正の写し提出書が提出され，令和２年４月２４日付けで拒絶理由が通知され，同年６月１８日に意見書が提出されるとともに手続補正がされたが，同年１０月７日付けで拒絶査定（以下「原査定」という。）がされ，これに対し，令和３年１月８日に拒絶査定不服審判の請求がされると同時に手続補正がされたものである。
第２．原査定の概要
　原査定の拒絶の理由の概要は次のとおりである。
（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者（以下「当業者」という。）が容易に発明をすることができたものであるから，特許法第２９条第２項の規定により特許を受けることができない。
　　　　　　　　　　　　　　　　　　　　記
・請求項　１−７
・引用文献等　１−３
＜引用文献等一覧＞
１．特開２００８−１０４０２２号公報
２．特開２０１５−１３９０８６号公報
３．国際公開第２０１０／０７１１０２号
第３．本願発明
　本願請求項１−６に係る発明（以下，それぞれ「本願発明１」−「本願発明６」という。）は，令和３年１月８日の手続補正で補正された特許請求の範囲の請求項１−６に記載された事項により特定される，以下のとおりの発明である。
「【請求項１】
　照明器具であって，
　光源と，
　前記光源の光出射方向とは反対側に配置されたスピーカユニットと，
　前記光源及び前記スピーカユニットを収納する器具本体とを備え，
　前記照明器具は，天井埋込み型照明器具であり，
　前記器具本体は，
　前記光源を内部に支持する有底筒状の第１筐体部と，
　前記第１筐体部を内部に収納する筒状の第２筐体部と，
　前記スピーカユニットを収納し，前記スピーカユニットからの後方側の音を封じ込める空間を形成するエンクロージャー部と，
　前記スピーカユニットの光出射側の端部から前記第２筐体部の内面にかけて傾斜した傾斜部とを有し，
　前記エンクロージャー部は，前記第２筐体部の軸方向に見た場合に，前記第２筐体部の側方に張り出しており，
　前記第１筐体部の底部は，前記スピーカユニットに向かって凸であり，
　前記傾斜部は，前記第１筐体部より後方に位置している
　照明器具。
　　【請求項２】
　前記底部の前記スピーカユニット側の面である底面は，前記スピーカユニットの軸に対して対称な形状を有する
　請求項１に記載の照明器具。
　　【請求項３】
　前記底面は，球体，楕円球体又は凸多面体の側面形状を有する
　請求項２に記載の照明器具。
　　【請求項４】
　前記底部は，高さが幅より短い扁平な凸である
　請求項１に記載の照明器具。
　　【請求項５】
　前記光源の光出射方向，前記スピーカユニットの出音方向，前記第１筐体部の軸方向，及び，前記第２筐体部の軸方向は，略一致している
　請求項１に記載の照明器具。
　　【請求項６】
　前記傾斜部は，前記スピーカユニットに向かって凸に湾曲した曲面を有する
　請求項１に記載の照明器具。」
第４．引用文献，引用発明等
（１）引用文献１
　原査定の拒絶の理由に引用された引用文献１には，図面とともに次の事項が記載されている（下線は当審で付与した。以下同様。）。
・「【技術分野】
【０００１】
　本発明は
天井等の上部位置に取り付け可能なスピーカ装置に関す
・「【発明が解決しようとする課題】
【０００３】
　しかしながら，特許文献１に開示されている従来のスピーカ装置では，アレイスピーカの指向性を制御するための制御装置が別途必要であったり，或いは通常の音響装置では直接再生したりすることができないという問題点があった。また帯域がかなり狭い範囲に限られるため，音質的には音楽を鑑賞するようなレベルの音質が得られないという問題点もあった。さらに従来の専用の制御装置等が必要になるためコスト的にも高価なものであった。
　そこで，本発明は上記した問題点を鑑みたものであり，安価で，通常の音響装置により直接再生でき，しかも再生帯域が広いスピーカ装置を提供することを目的とする。
【課題を解決するための手段】
【０００４】
　上記目的を達成するため，本発明のスピーカ装置は，入力される音声信号の信号レベルを増幅する増幅手段と，スピーカ及び該スピーカの前方周囲に設けられ前記スピーカの再生音を反射する反射壁を備え，前記増幅手段により増幅された音声信号をそれぞれ再生する複数個のスピーカユニットと，前記各スピーカユニットの指向性を可変する指向性可変手段と，を備えるようにした。」
・「【００１７】
　図４はスピーカユニットの他の構造を模式的に示した図である。 この図４に示すスピーカユニット２は，キャビネット３内に照明手段である照明器具７と照明用ソケット３１を取り付けるようにしている。この場合，
照明用ソケット３１はキャビネット３の反射壁１７として機能する部分に取り付けた支持部材３２により固定す
スピーカ装置１を構成するスピーカユニット２においてスピーカ６と照明器具７とを一体化す
照明用ソケット３１の形状を
ディフューザとなるような形状にす
ディフューザ形状としては，
半球状の他にコーン状（円錐状）等がある
・図４には，以下の内容が示されている。
・段落【００１７】の「スピーカ装置１を構成するスピーカユニット２においてスピーカ６と照明器具７とを一体化する」ことから、スピーカ装置１を構成し、スピーカ６と照明器具７を一体化するスピーカユニット２であることは明らかである。
・段落【００１７】の記載事項と図４の図示内容からみて，照明器具７の上方に配置されたスピーカ６と，照明器具７とスピーカ６を収納するキャビネット３とを備えること，及び，照明器具７を支持する半球状の他にコーン状（円錐状）等のディフューザ形状の照明用ソケット３１と，照明用ソケット３１を内部に収納する筒状のキャビネット３と，照明用ソケット３１の形状は，半球状の他にコーン状（円錐状）等のスピーカ６に向かって凸であることが，理解できる。
　これらの事項からみて，引用文献１には，以下の発明（以下「引用発明」という。）が記載されていると認められる。
「天井等の上部位置に取り付け可能なスピーカ装置１に関し，
　スピーカ装置１を構成し、スピーカ６と照明器具７とを一体化するスピーカユニット２であって，
　照明器具７の上方に配置されたスピーカ６と，照明器具７とスピーカ６を収納するキャビネット３とを備え，
　照明器具７を支持する半球状の他にコーン状（円錐状）等のディフューザ形状の照明用ソケット３１と，照明用ソケット３１はキャビネット３の反射壁１７として機能する部分に取り付けた支持部材３２により固定し，照明用ソケット３１を内部に収納する筒状のキャビネット３と，
　照明用ソケット３１の形状は，半球状の他にコーン状（円錐状）等のスピーカ６に向かって凸である，
　スピーカ６と照明器具７とを一体化するスピーカユニット２。」
（２）引用文献２
　原査定の拒絶の理由に引用された引用文献２には，図面とともに次の事項が記載されている。
・「【技術分野】
【０００１】
　本発明は，音声信号出力装置に関し，より詳細には，
天井に設置されている電源コンセントに接続する音声信号出力装置に関す
・「【００１３】
（第１の実施の形態） 以下，本発明の実施形態について，図面を参照しながら詳細に説明する。 図１は，本発明の実施形態に係る音声信号出力装置の構成例を示す図で，図１（Ａ）は音声信号出力装置を天井に取り付けた状態を示す側面図，図１（Ｂ）は音声信号出力装置の上面図，図１（Ｃ）は音声信号出力装置の底面図である。 本実施の形態に係る
音声信号出力装置１０は，スピーカユニット１２および制御基板１３を内部に格納した筐体からなる音声信号出力部１１と
天井１７に設置されたコンセントに音声信号出力部１１を固定して電源供給を受ける天井接続部１５と，シーリングライトなど天井設置型の照明器具
を音声信号出力部１１に取り付ける照明取付部１６とを有す
・「【００１５】
　
音声信号出力部１１を構成する筐体は
水平方向に細長い矩形形状を備え，スピーカユニット１２の放音方向が下方に向いている
【００１６】
　図３は，図１に示した音声信号出力装置１０に対するシーリングライトの接続例を示す図である。
シーリングライト２１は，直接に，もしくは接続アダプター２２を介して音声信号出力装置１０の照明取付部１６に接続され
・図１，図３には，以下の内容が示されている。
　
・図３から，
音声信号出力部１１を構成する筐体は，シーリングライト２１の鉛直（軸） 方向に見た場合にシーリングライト２１の側方に張り出していること
　これらの記載事項及び図示内容からみて，引用文献２には，以下の事項（以下「引用文献２記載事項」という。） が記載されていると認められる。
「天井に設置されている電源コンセントに接続する音声信号出力装置１０に関し，音声信号出力装置１０は，スピーカユニット１２および制御基板１３を内部に格納した筐体からなる音声信号出力部１１と，天井１７に設置されたコンセントに音声信号出力部１１を固定して電源供給を受ける天井接続部１５と，シーリングライトなど天井設置型の照明器具を音声信号出力部１１に取り付ける照明取付部１６とを有し，音声信号出力部１１を構成する筐体は，水平方向に細長い矩形形状を備え，スピーカユニット１２の放音方向が下方に向いており，シーリングライト２１は，直接に，もしくは接続アダプター２２を介して音声信号出力装置１０の照明取付部１６に接続され，
音声信号出力部１１を構成する筐体は，シーリングライト２１の鉛直（軸） 方向に見た場合にシーリングライト２１の側方に張り出している
（３）引用文献３
　原査定の拒絶の理由に引用された引用文献３には，図面とともに次の事項が記載されている。
・「技術分野
[０００１] 　本発明は，スピーカに関し，特に照明器具を備えたものに関する。」
・「[００１９] 　本発明の第１実施形態の
照明器具付きスピーカ
収容部２は
円筒状の周壁部４を有し，その一方の端部が開口部６とされ，他方の端部が内奥壁８によって閉じられ
開口部６の周縁には環状フランジ１０が形成され
収容部２は，
天井１２に形成された孔内に，開口部６が天井１２の表面側に位置し，フランジ１０が天井１２の表面に接するように，孔内に取り付けられ
[００２０] 　この
収容部２内の中心軸線上の内奥壁８側によった位置に，コーンスピーカユニット１４が配置され
コーンスピーカユニット１４のコーンの先端にある放音開口１６が，開口部６側を向くように収容部２内に取り付けられてい
[００２１] 　
収容部２の周壁部４の内面及び内奥壁８の内面には，
反射膜１８ａ，１８ｂが取り付けられてい
周壁部４の反射膜１８ａ上に，コーンスピーカユニット１４を包囲するように，複数の光源
ＬＥＤ２０が取り付けられ
ＬＥＤ２０は，反射膜１８ａ上に取り付けた環状の帯状体１９上に，その周方向に所定の間隔をそれぞれあけて配置され
各ＬＥＤ２０は，発光面２１を有し，この発光面２１と反対側の面が帯状体１９に取り付けられ
発光面２１が，コーンスピーカユニット１４側を向いてい
直接に開口部６側に放射される光以外の光も反射させて，開口部６から放射するので，開口部６から均一に光を放射することができ
[００２２] 　これら
ＬＥＤ２０よりも開口部６側によった位置に
光透過部２２が設けられ
光透過部２２は，コーンスピーカユニット１４の放音開口１６の周縁に，放音開口１６の周縁にほぼ一致する開口２３を有し，この開口２３から，開口部６の周縁まで伸延し，開口部６側の面がパラボラ反射鏡状に湾曲させて形成され
・図１には，以下の内容が示されている。
　
　図１から，
光透過部２２は，各ＬＥＤ２０を支持する環状の帯状体１９よりも前方に位置していること
　これらの記載事項及び図示内容からみて，引用文献３には，以下の事項（以下「引用文献３にに記載された事項」という。）が記載されていると認められる。
「照明器具付きスピーカであって，収容部２は，円筒状の周壁部４を有し，その一方の端部が開口部６とされ，他方の端部が内奥壁８によって閉じられ，開口部６の周縁には環状フランジ１０が形成され，収容部２は，天井１２に形成された孔内に，開口部６が天井１２の表面側に位置し，フランジ１０が天井１２の表面に接するように，孔内に取り付けられ，
　収容部２内の中心軸線上の内奥壁８側によった位置に，コーンスピーカユニット１４が配置され，コーンスピーカユニット１４のコーンの先端にある放音開口１６が，開口部６側を向くように収容部２内に取り付けられており，収容部２の周壁部４の内面及び内奥壁８の内面には，反射膜１８ａ，１８ｂが取り付けられ，周壁部４の反射膜１８ａ上に，コーンスピーカユニット１４を包囲するように，複数の光源であるＬＥＤ２０が取り付けられ，ＬＥＤ２０は，反射膜１８ａ上に取り付けた環状の帯状体１９上に，その周方向に所定の間隔をそれぞれあけて配置され，各ＬＥＤ２０は，発光面２１を有し，この発光面２１と反対側の面が帯状体１９に取り付けられ，発光面２１が，コーンスピーカユニット１４側を向いており，直接に開口部６側に放射される光以外の光も反射させて，開口部６から放射するので，開口部６から均一に光を放射することができ，
　ＬＥＤ２０よりも開口部６側によった位置に，光透過部２２が設けられ，光透過部２２は，コーンスピーカユニット１４の放音開口１６の周縁に，放音開口１６の周縁にほぼ一致する開口２３を有し，この開口２３から，開口部６の周縁まで伸延し，開口部６側の面がパラボラ反射鏡状に湾曲させて形成され，
　
光透過部２２は，各ＬＥＤ２０を支持する環状の帯状体１９よりも前方に位置している
　照明器具付きスピーカ。」
第５　対比・判断
１．本願発明１について
（１）対比
ア．本願発明１と引用発明とを対比すると，後者の「スピーカ６」は前者の「スピーカユニット」に，以下同様に，「キャビネット３」は「器具本体」に，「スピーカ６と照明器具７を一体化するスピーカユニット２」はスピーカ６と照明器具７を有するから「照明器具」に，それぞれ相当する。
イ．後者の「照明器具７」は前者の「光源」を有すること及び後者の「照明器具７」は下方に照射しているのは明らかであるから，後者の「照明器具７の上方に配置されたスピーカ６と，照明器具７とスピーカ６を収納するキャビネット３」と，前者の「前記光源の光出射方向とは反対側に配置されたスピーカユニットと，前記光源及び前記スピーカユニットを収納する器具本体」とは，「前記照明器具の照射方向とは反対側に配置されたスピーカユニットと，前記光源及び前記スピーカユニットを収納する器具本体」において共通する。
ウ．後者の「スピーカユニット２」は「天井等の上部位置に取り付け可能なスピーカ装置１」に備えられているから，前者の「前記照明器具は，天井埋込み型照明器具」とは，「前記照明器具は，天井に備えられた照明器具」において共通する。
エ．後者の「照明器具７を支持する半球状の他にコーン状（円錐状）等のディフューザ形状の照明用ソケット３１」と，前者の「前記光源を内部に支持する有底筒状の第１筐体部」とは，「前記光源を支持する有底の部材」において共通する。
オ．後者の「キャビネット３」は筐体部としての機能を有するものであるから、「照明用ソケット３１を内部に収納する筒状のキャビネット３」と，前者の「前記第１筐体部を内部に収納する筒状の第２筐体部」とは，「前記有底の部材を内部に収納する筒状の筐体部」において共通する。
カ．後者の「照明器具７とスピーカ６を収納するキャビネット３」と，前者の「前記スピーカユニットを収納し，前記スピーカユニットからの後方側の音を封じ込める空間を形成するエンクロージャー部」とは，「前記スピーカユニットを収納し，前記スピーカユニットの後方側の空間を形成する部分」において共通する。
キ．後者の「照明用ソケット３１の形状は，半球状の他にコーン状（円錐状）等のスピーカ６に向かって凸である」ことと，前者の「前記第１筐体部の底部は，前記スピーカユニットに向かって凸であ」ることとは「前記有底の部材の底部は，前記スピーカユニットに向かって凸である」ことにおいて共通する。
　そうすると，両者は，
「照明器具であって，
　光源と，
　前記照明器具の照射方向とは反対側に配置されたスピーカユニットと，
　前記光源及び前記スピーカユニットを収納する器具本体とを備え，
　前記照明器具は，天井に備えられた照明器具であり，
　前記器具本体は，
　前記光源を支持する有底の部材と，
　前記有底の部材を内部に収納する筒状の筐体部と，
　前記スピーカユニットを収納し，前記スピーカユニットの後方側の空間を形成する部分と，
を有し，
　前記有底の部材の底部は，前記スピーカユニットに向かって凸である，
　照明器具。」
において一致し，以下の各点において相違する。
＜相違点１＞
　前記照明器具の照射方向が，本願発明１では，「前記光源の光出射方向」であるのに対して，引用発明では，そのような特定はなされていない点。
＜相違点２＞
　天井に備えられた照明器具が，本願発明１では，「天井埋込み型照明器具」であるのに対して，引用発明では，そのような特定はなされていない点。
＜相違点３＞
　前記光源を支持する有底の部材が，本願発明１では，前記光源を「内部に」支持する有底「筒状」の「第１筐体部」であって，前記部材を内部に収納する筐体部が，本願発明１では，前記「第１筐体部」を内部に収納する筒状の「第２」筐体部であり，前記スピーカユニットに向かって凸である前記部材の底部が，本願発明１では，前記「第１筐体部」の底部であるのに対して，引用発明では，そのような特定はなされていない点。
＜相違点４＞
　前記器具本体の前記スピーカユニットを収納し，前記スピーカユニットの後方側の空間を形成する部分が，本願発明１では，「前記スピーカユニットからの後方側の音を封じ込める空間を形成するエンクロージャー部」であり，「前記エンクロージャー部は，前記第２筐体部の軸方向に見た場合に，前記第２筐体部の側方に張り出して」いるのに対して，引用発明では，そのような特定はなされていない点。
＜相違点５＞
　本願発明１では，「前記スピーカユニットの光出射側の端部から前記第２筐体部の内面にかけて傾斜した傾斜部とを有し，」「前記傾斜部は，前記第１筐体部より後方に位置している」のに対して，引用発明では，そのような特定はなされていない点。
（２）相違点の判断
　事案に鑑み，まず，相違点５について検討する。
ア．本願発明１と引用文献３に記載された事項とを対比すると，後者の「ＬＥＤ２０」は前者の「光源」に相当し，以下同様に，「コーンスピーカユニット１４」は「スピーカユニット」に，「収容部２」は「器具本体」に，「照明器具」は天井に埋め込まれているから「天井埋込み型照明器具」又は「照明器具」に，「環状の帯状体１９」は「第１筐体部」に，「周壁部４」及び「反射膜１８ａ」は「第２筐体部」に，「コーンの先端」は「端部」に，「光透過部２２」は「傾斜部」に，それぞれ相当する。
イ．後者の「収容部２内の中心軸線上の内奥壁８側によった位置に，コーンスピーカユニット１４が配置され，コーンスピーカユニット１４のコーンの先端にある放音開口１６が，開口部６側を向くように収容部２内に取り付けられており，収容部２の周壁部４の内面及び内奥壁８の内面には，反射膜１８ａ，１８ｂが取り付けられ，周壁部４の反射膜１８ａ上に，コーンスピーカユニット１４を包囲するように，複数の光源であるＬＥＤ２０が取り付けられ，ＬＥＤ２０は，反射膜１８ａ上に取り付けた環状の帯状体１９上に，その周方向に所定の間隔をそれぞれあけて配置され」ていることは，上記ア．の相当関係を踏まえると，前者の「前記光源と前記スピーカユニットを収納する器具本体」「を備え」ることに相当し，前者の「前記器具本体は，前記光源を内部に支持する有底筒状の第１筐体部と，前記第１筐体部を内部に収納する筒状の第２筐体部と，前記スピーカユニットを収納し，前記スピーカユニットからの後方側の音を封じ込める空間を形成するエンクロージャー部と，」「を有し」ていることとは，「前記器具本体は，前記光源を支持する筒状の第１筐体部と，前記第１筐体部を内部に収納する筒状の第２筐体部と，前記スピーカユニットを収納し，前記スピーカユニットから後方側の空間を形成する部分と，」「を有し」ていることにおいて共通する。
ウ．後者の「ＬＥＤ２０よりも開口部６側によった位置に，光透過部２２が設けられ，光透過部２２は，コーンスピーカユニット１４の放音開口１６の周縁に，放音開口１６の周縁にほぼ一致する開口２３を有し，この開口２３から，開口部６の周縁まで伸延し，開口部６側の面がパラボラ反射鏡状に湾曲させて形成され」ていることと，前者の「前記スピーカユニットの光出射側の端部から前記第２筐体部の内面にかけて傾斜した傾斜部とを有し」ていることとは，上記ア．の相当関係を踏まえると，「前記スピーカユニットの端部から前記第２筐体部の内面にかけて傾斜した傾斜部とを有し」ていることにおいて共通する。
エ．そうすると，本願発明１に倣って整理すると，引用文献３には，以下の事項（以下「引用文献３記載事項」という。）が記載されているといえる。
「照明器具と
　光源と，
　スピーカユニットと，
　前記光源と前記スピーカユニットを収納する器具本体とを備え，
　前記照明器具は，天井埋込み型照明器具であり，
　前記器具本体は，
　前記光源を支持する筒状の第１筐体部と，
　前記第１筐体部を内部に収納する筒状の第２筐体部と，
　前記スピーカユニットを収納し，前記スピーカユニットから後方側の空間を形成する部分と
　前記スピーカユニットの端部から前記第２筐体部の内面にかけて傾斜した傾斜部とを有し
　前記傾斜部は，前記第１筐体部よりも
前方
　照明器具。」
オ．そして，引用発明と引用文献３記載事項は，いずれも,天井に備えた照明器具であって，光源とスピーカユニットを収納する器具本体を備えた照明器具である点において共通しているものの引用文献３記載事項は，「前記傾斜部は，前記第１筐体部よりも前方に位置している」ものであって，「前記傾斜部は，前記第１筐体部よりも後方に位置している」という構成は，備えていないから，引用発明に引用文献３記載事項を適用しても，相違点５に係る本願発明１の構成には至らない。
　また，引用文献３の傾斜部を構成する光透過部２２は，光を透過することを前提としているものであるので，光源を支持する帯状体１９（第１筐体部）より光透過部２２（傾斜部）を後方に位置させると，照射方向（前方）に光を透過させる必要がなくなるため，光源を支持する帯状体１９（第１筐体部）より光透過部２２（傾斜部）を後方に位置させようとはしない。
カ．また，引用文献２にも，「前記傾斜部は，前記第１筐体部よりも後方に位置している」という構成は記載されていない。
キ．そして，上記相違点５に係る本願発明１の構成により，本願発明１は，第１筐体部より後方（すなわち，スピーカユニット側）に傾斜部を設けることによって，出力音圧レベルの低下（ディップ）が解消され，照明器具の音質を高めることができるという格別な作用効果を奏するといえる。
ク．したがって，その他の相違点を検討するまでもなく，本願発明１は，引用発明に，引用文献２記載事項，及び，引用文献３記載事項に基いて，当業者が容易に発明をすることができたとはいえない。
　
２．本願発明２−６について
　本願発明２−６は，本願発明１の発明特定事項を全て含み，さらに請求項２−６で特定された事項でさらに限定するものであるから，本願発明２−６は，上記１で本願発明１について示したのと同じ理由により，引用発明，引用文献２記載事項，及び，引用文献３記載事項に基いて当業者が容易に発明をできたものであるとはいえない。
第６．むすび
　以上のとおり，本願発明１−６は，引用発明，引用文献２記載事項，及び，引用文献３記載事項に基いて当業者が容易に発明をすることができたものであるとはいえない。
　したがって，原査定の理由によっては，本願を拒絶することはできない。
　また，他に本願を拒絶すべき理由を発見しない。
　よって，結論のとおり審決する。